(57)【要約】【課題】高速通信可能な交換レンズ式カメラにおいて、高速通信できない従来のレンズとの互換性を確保するためにレンズ装着時などに従来方式の通信を用いてレンズ種別を判定した後に高速通信に切り替えると処理に時間を要する。また、従来レンズとの機構的互換性を確保するためにレンズ種別判定用の電気接点を追加することができない。【解決手段】新通信対応カメラはマウント部バヨネット爪のうちの少なくとも一つの裏に従来レンズが装着されると切片が可動するスイッチを設け、新通信対応レンズは前記スイッチにあたる部分のバヨネット爪を切り欠くことによりレンズ装着と同時にレンズ種別が判定できる。【選択図】図６
2018084713.tif 000002
【特許請求の範囲】
【請求項１】
交換レンズに電源を供給する端子（３Ａ１、３Ａ２）と、
交換レンズと通信を行う端子（３Ａ３、３Ａ４、３Ａ５）と
交換レンズ装着を検出する端子（３Ａ６）と備え、
第一および第二のモードで通信する第一の交換レンズ（２０１）と
第二のモードで通信する第二の交換レンズ（３０１）とが選択的に装着可能な
撮像装置において、  
レンズ非装着状態では第一の状態であり、
第一の交換レンズが装着されると第一の状態から変化せず、
第二の交換レンズが装着されると第二の状態に変化する位置に設けられたレンズ種別判定スイッチ（１０５）を備え、
レンズ装着検出端子（３Ａ６）にてレンズ装着が検出されるとともにレンズ種別判定スイッチ（１０５）が第一の状態のままの場合は第一のモードでレンズと通信し、
レンズ装着検出端子（３Ａ６）にてレンズ装着が検出されるとともにレンズ種別判定スイッチ（１０５）が第二の状態となった場合は第二のモードでレンズと通信する撮像装置。
【請求項２】
第一のモードおよび第二のモードで通信可能であり、
第一のモードでは通信できないカメラに装着可能であるとともに
第一のモードで通信可能なカメラのレンズ種別判定スイッチ（１０５）の状態を変化させないマウント形状を有した撮像装置用交換レンズ。
【発明の詳細な説明】
【技術分野】
【０００１】
本発明は通信により情報交換を行うレンズ交換可能な撮像装置及びその撮像装置に装着可能な交換レンズに関するものである。
【背景技術】
【０００２】
従来、カメラと交換レンズとの通信手法として、クロック同期方式のシリアル通信（同期シリアル通信）が採用されてきた。特許文献１では、次のような技術内容が開示されている。まず、古いタイプの交換レンズでも通信可能な第１の通信速度で同期シリアル通信を行う。その通信内容により、装着されている交換レンズが新しいレンズと判別された場合には、より高速な第２の通信速度での同期シリアル通信に切替える。
【０００３】
また、この通信速度切替えの際に、通信端子の回路をオープンドレインタイプから高速通信に適したＣＭＯＳタイプに切替えることも記載されている。この技術によれば、古いタイプの交換レンズとの組合せでは速度は遅いながらも動作が可能で、新しいタイプの交換レンズとの組合せでは通信速度の高速化を一定レベル向上させたものが実現できるが、従来の同期シリアル通信では、通信と通信との間でレンズが受信したデータを解析して次の通信でカメラへ送るデータをセットするため、また受信したデータに基づいて処理を実行するための待ち時間が設けられる。
【０００４】
この待ち時間が生じている状態をＢｕｓｙと呼び、Ｂｕｓｙの間はレンズはカメラからの通信を受け付けない。そのため、クロックの周波数を上げても、カメラ側のマイクロコンピュータはレンズのＢｕｓｙ解除を待ちながら通信するために、動作パフォーマンスの向上には限界がある。一方、レンズ側のマイクロコンピュータには頻繁にカメラからの通信割り込みが発生し、その都度Ｂｕｓｙ信号出力及び解除のための通信割り込み処理を優先的に行わなければならないので、こちらも動作パフォーマンス向上の弊害となることから通信によらずレンズ種別を判定する提案がなされている。
【０００５】
特許文献２ではカメラに交換レンズが装着された際に、カメラと交換レンズの間で接続される各種電極にレンズ種別検出用電極を追加し、前記検出用電極の接続状態によってレンズ種別を判定する技術が記載されている。
【０００６】
特許文献２の技術によれば従来の通信を行うレンズで使用している電源、ＧＮＤ、カメラ側データ線、レンズ側データ線の各端子に加えてレンズ種別検出用電極を追加しており、カメラに対して交換レンズが装着されるとカメラ側では前記レンズ種別検出用電極を所定の抵抗値でプルアップする。
【０００７】
装着された交換レンズの種類によってレンズ側ではレンズ種別検出用電極がそれぞれ所定の抵抗値でプルダウンされており、カメラ側のマイクロコンピュータはカメラ内のプルアップ抵抗と、レンズ内のプルダウン抵抗によって分圧された電圧を検知することによりレンズ種別を判定することが可能となり、判定されたレンズ種別に適した通信を開始することができる。
【先行技術文献】
【特許文献】
【０００８】
【特許文献１】特開平９−３０４８０４号公報
【特許文献２】特開２０１４−１３４８０７号公報
【発明の概要】
【発明が解決しようとする課題】
【０００９】
しかしながら、特許文献２記載の従来の技術ではレンズマウント部に電極を追加する必要があるため、既に電極が多数配置されており、寸法的に増やせないカメラシステムには適用できないと言う点があった。
【００１０】
本発明の目的は、従来の通信方式を用いた古いタイプの交換レンズにも対応しつつ、さらなる動作パフォーマンスの向上を可能にするカメラ及び交換レンズを提供することである。
【課題を解決するための手段】
【００１１】
本発明にかかるカメラにおいては、レンズマウント部のレンズ装着検知用電極とは別にレンズマウント部に複数供えるバヨネット爪のうち少なくとも一つの裏面に従来のレンズが正しく装着されたことを検知できるスイッチを備え、さらに本発明にかかる高速通信可能な交換レンズにおいては、前記カメラ側のスイッチにあたる部分のバヨネット爪を切り欠くことにより正しくレンズが装着されても前記スイッチが装着を検知できない構成とするとともに、カメラにレンズが装着された状態での前記スイッチの状態から装着されたレンズの種類を判定して、適切な通信モードでの通信を開始することを特徴とする。
【発明の効果】
【００１２】
本発明によればレンズマウント部の電極数を増やすことなくカメラに装着されたレンズの種類を迅速に判定することによって装着直後から適切な通信モードでの通信を開始することができるため、従来の通信方式を用いた古いタイプの交換レンズにも対応しつつ、さらなる動作パフォーマンスの向上を可能にするカメラ及び交換レンズを提供することが可能となる。
【図面の簡単な説明】
【００１３】
【図１】本発明のカメラボディ側マウント部
【図２】本発明のレンズ側マウント部
【図３】本発明のカメラボディと交換レンズの接続ブロック図
【図４】従来のレンズ側マウント部
【図５】本発明のカメラボディと従来のレンズの接続ブロック図
【図６】レンズ種別判定シーケンス
【発明を実施するための形態】
【００１４】
以下に本発明の好適な実施例について図面を参照して説明する。本実施例はカメラボディ側マウントと、レンズ側マウントの相互間を一方向回動により結合し、他方向回動により離脱する回動着脱式バヨネットマウントを用いたカメラに装着される光学付属品としての交換レンズに適用したものである。
【００１５】
［実施例１］
図１は本発明にかかる第１の実施形態のカメラのマウント部をレンズ側から見た図である。図において１はカメラボディ側マウント、１Ａはカメラボディ側衝合面、１Ｃ１、１Ｃ２、１Ｃ３はそれぞれカメラボディ側マウント爪、２はマウントロックピン、３Ａはカメラボディ側電気的接続端子である。
【００１６】
また図２は本発明にかかる第１の実施形態の交換レンズのマウント部をカメラ側から見た図である。図において５はレンズ側マウント、５Ａはレンズ側衝合面、５Ｃ１、５Ｃ２、５Ｃ３はそれぞれレンズ側マウント爪、６はマウントロック溝、７Ａはレンズ側電気的接続端子である。
【００１７】
図１に示すようにカメラボディ側マウント１は光軸Ｏを中心とする環状の衝合面１Ａを有し、この衝合面１Ａの内周側には３個のマウント爪１Ｃ１、１Ｃ２、１Ｃ３が分配形成されている。また、マウント爪１Ｃ３の端部１Ｄにはレンズ種別検出スイッチ１０５が配置されている。
【００１８】
図１はカメラボディ側マウント１をカメラ正面側から見た状態を示しており、同図において衝合面１Ａの右真横近傍の周域にマウントロックピン２が配置されている。
【００１９】
一方、レンズ側マウント５も図２に示すように光軸Ｏを中心とする環状の衝合面５Ａを有し、この衝合面５Ａの内周側にはカメラボディ側マウント１のマウント爪１Ｃ１、１Ｃ２、１Ｃ３とそれぞれ係合しあう３個のマウント爪５Ｃ１、５Ｃ２、５Ｃ３が分配形成されている。この中でマウント爪５Ｃ３はレンズがカメラボディに装着された状態でレンズ種別検出スイッチ１０５に当たる部分が切り欠かれている。
【００２０】
図２はレンズをカメラボディに装着完了した姿勢でのレンズ側マウント５をレンズ後端側より見た状態を示しており。同図において衝合面５Ａの左真横近傍の周域（カメラ正面から見た場合は右真横近傍の周域）にマウントロック溝６が刻設されている。
【００２１】
図１のマウントロックピン２は不図示のスプリングによりカメラボディ側マウント１の衝合面１Ａより突出するよう付勢されており、マウント装着完了状態において対応する図２のレンズ側マウント５のマウントロック溝６と係合する。カメラボディ側マウント１の内側には長方形のミラーボックス４が設けられ、ミラーボックス４内に不図示のクイックリターンミラー、シャッターユニット、撮像素子などが配置されている。
【００２２】
さらにカメラボディ側マウント１の衝合面１Ａの内径側の下部周域には衝合面１Ａの内周側に沿う円弧状をなすとともにミラーボックス４の矩形画枠から下方に退避してカメラボディ側端子台３が設けられており、前記端子台３上にカメラボディ側電気的接続端子群３Ａが光軸回りに円弧状に設けられている。
【００２３】
レンズ側マウント５の衝合面５Ａよりも内径側の下部周域には、上記カメラボディ側端子台３と対向する位置にレンズ側端子台７が設けられ、レンズ側端子台７上にはカメラボディ側電気的接点群３Ａとお互いに対をなすレンズ側電気的接続端子群７Ａが光軸回り方向に沿って配置されており、マウント装着完了状態において対応する前記各端子群３Ａ、７Ａが対接するようになっている。
【００２４】
これらの各端子３Ａ、７Ａはカメラボディ側回路とレンズ側回路との間で電源および各種の信号授受を行うためのものである。図３はカメラボディ側回路およびレンズ側回路の接続を示したブロック図であり、図１および図２と同一部材には同一符号を附し説明を省略する。また、１０１はカメラボディ、１０２はカメラボディ側制御回路、１０３はカメラボディ側電源回路、１０４はカメラボディに着脱自在な電池、１０６はレンズ装着検出用プルアップ抵抗、１０７はレンズ種別判定用プルアップ抵抗、３Ａ１から３Ａ７はカメラボディ側電気的接続端子群３Ａの各端子である。
【００２５】
また２０１は交換レンズ、２０２はレンズ側制御回路、２０３はレンズ側電源回路、２０４はレンズ駆動回路、７Ａ１から７Ａ７はカメラボディ側電気的接続端子群７Ａの各端子である。
【００２６】
図に従って動作を説明する。カメラボディ１０１と交換レンズ２０１とがマウント装着完了状態となるとおのおのの電気接点群３Ａおよび７Ａとが対向し、端子３Ａ１と端子７Ａ１、端子３Ａ２と端子７Ａ２、端子３Ａ３と端子７Ａ３、端子３Ａ４と端子７Ａ４、端子３Ａ５と端子７Ａ５、端子３Ａ６と端子７Ａ６、端子３Ａ７と端子７Ａ７とがそれぞれ電気的に接続される。
【００２７】
端子３Ａ１と端子７Ａ１が接続されることによりカメラボディ１０１に装着された電池１０４からのレンズ駆動用電源ＶＢＡＴがレンズ側電源回路２０３に供給される。端子３Ａ２と端子７Ａ２が接続されることによりカメラ側電源回路１０３からの制御用電源ＶＤＤがレンズ側制御回路２０２に供給される。端子３Ａ３と端子７Ａ３が接続されることによりカメラ側制御回路１０２からの通信クロックＳＣＬＫがレンズ側制御回路２０２に供給される。
【００２８】
端子３Ａ４と端子７Ａ４が接続されることによりカメラ側制御回路１０２からの通信データＤＣＬ（Ｄａｔａ  Ｃａｍｅｒａ  ｔｏ  Ｌｅｎｓ）がレンズ側制御回路２０２に供給される。端子３Ａ５と端子７Ａ５が接続されることによりレンズ側制御回路２０２からの通信データＤＬＣ（Ｄａｔａ  Ｌｅｎｓ  ｔｏ  Ｃａｍｅｒａ）がカメラ側制御回路１０２に供給される。
【００２９】
端子３Ａ７と端子７Ａ７が接続されることによりカメラボディ１０１と交換レンズ２０１のＧＮＤ線が接続される。端子３Ａ６と端子７Ａ６が接続されることによりカメラボディ１０１内で制御用電源ＶＤＤにプルアップされたレンズ装着検出信号ＬＤＥＴが交換レンズ２０１内でＧＮＤに接続されることにより”Ｌｏ”レベルとなる。レンズ種別検出スイッチ１０５はレンズ側マウント爪５Ｃ３が切りかかれているため開放のままであり、制御用電源ＶＤＤにプルアップされたレンズ種別検出信号ＮＥＷＬＥＮＳは”Ｈｉ”レベルに保たれる。
【００３０】
カメラ側制御回路１０２ではレンズ装着検出信号ＬＤＥＴが”Ｈｉ”レベルから”Ｌｏ”レベルに変化するとレンズ装着が完了したものと判断してレンズ種別の判定を実施するためにレンズ種別検出信号ＮＥＷＬＥＮＳの信号レベルを検出する。レンズ装着検出信号ＬＤＥＴが”Ｌｏ”レベルでありかつレンズ種別検出信号ＮＥＷＬＥＮＳが”Ｈｉ”レベルであれば高速通信可能な新レンズが装着されたものと判定し、レンズに対して高速通信を実施する。
【００３１】
図４は従来の交換レンズのマウント部をカメラ側から見た図である。図４において図２と同一部材には同一符号を附し説明を省力する。また５Ｃ４はそれぞれ従来レンズ側マウント爪である。図５は本発明にかかるカメラボディ側回路および従来型レンズ側回路の接続を示したブロック図であり、図１、図２、図３および図４と同一部材には同一符号を附し説明を省略する。また、３０１は従来型交換レンズである。
【００３２】
カメラボディ１０１に対して従来型交換レンズ３０１がマウント装着完了すると電気接点群３Ａおよび７Ａが対向し、それぞれの電気接点が接続することによりカメラボディ１０１と従来型交換レンズ３０１とが電気的に接続されることは上述した本実施例の交換レンズ２０１がマウント装着完了した場合と同様である。
【００３３】
従来型交換レンズ３０１ではマウント爪５Ｃ４が図４に示すように切りかかれておらず、カメラボディとレンズとがマウント装着完了状態となると各電気接点が接続されるのに加えてカメラボディ側のレンズ種別判定スイッチ１０５の切片を押し下げるため、レンズ種別判定スイッチ１０５が閉成し、制御用電源ＶＤＤにプルアップされているレンズ種別判定信号ＮＥＷＬＥＮＳを”Ｌｏ”レベルとする。
【００３４】
カメラ側制御回路１０２はレンズ装着検出信号ＬＤＥＴが”Ｌｏ”レベルでありかつレンズ種別検出信号ＮＥＷＬＥＮＳが”Ｌｏ”レベルであれば高速通信ができない従来型レンズが装着されたものと判定し、レンズに対して従来方式の通信を実施する。
【００３５】
図６は上記の判定動作のシーケンスを示したフローチャートである。ステップＳ６０１にてレンズ判定が開始されるとステップＳ６０２に進む。ステップＳ６０２にてレンズ装着検出信号ＬＤＥＴの”Ｈｉ”レベルが検出された場合はレンズ未装着状態と判定される。一方、レンズ装着検出信号ＬＤＥＴの”Ｌｏ”レベルが検出された場合はレンズ装着状態と判定されステップＳ６０３に進む。
【００３６】
ステップＳ６０３にてレンズ種別判定信号ＮＥＷＬＥＮＳの”Ｈｉ”レベルが検出された場合は高速通信可能レンズが装着されたものと判定されステップＳ６０４に進む。ステップＳ６０４ではカメラ−レンズ間で高速通信が行われ、ステップＳ６０５にてレンズ判定が終了する。
【００３７】
一方、レンズ種別判定信号ＮＥＷＬＥＮＳの”Ｌｏ”レベルが検出された場合は高速通信に対応しないレンズが装着されたものと判定されステップＳ６０６に進む。ステップ６０６ではカメラ−レンズ間で従来型レンズ用の通信が行われ、ステップＳ６０５にてレンズ判定が終了する。
【００３８】
本実施例の交換レンズ２０１は従来のカメラボディに装着可能であるが、従来のカメラボディではレンズ種別の判定は行えず、通信方式も従来方式のみに対応しているためカメラボディ側が従来方式の通信を行うことにより従来のレンズ３０１と同様に動作する。
【００３９】
以上述べたように本発明にかかるカメラにおいては、レンズマウント部のレンズ装着検知用電極とは別にレンズマウント部に複数供えるバヨネット爪のうち少なくとも一つの裏面に従来のレンズが正しく装着されたことを検知できるスイッチを備え、さらに本発明にかかる高速通信可能な交換レンズにおいては、前記カメラ側のスイッチにあたる部分のバヨネット爪を切り欠くことにより正しくレンズが装着されても前記スイッチが装着を検知できない構成とするとともに、カメラにレンズが装着された状態での前記スイッチの状態から装着されたレンズの種類を判定する。
【００４０】
そして、適切な通信モードでの通信を開始することによってレンズマウント部の電極数を増やすことなくカメラに装着されたレンズの種類を迅速に判定することによって装着直後から適切な通信モードでの通信を開始することができる。
【００４１】
このため、従来の通信方式を用いた古いタイプの交換レンズにも対応しつつ、さらなる動作パフォーマンスの向上を可能にするカメラ及び交換レンズを提供することが可能となる。
【００４２】
以上、本発明の好ましい実施形態について説明したが、本発明はこれらの実施形態に限定されず、その要旨の範囲内で種々の変形及び変更が可能である。
【符号の説明】
【００４３】
１                   カメラボディ側マウント
１Ａ                 カメラボディ側衝合面
１Ｃ１、１Ｃ２、１Ｃ３      カメラボディ側マウント爪
２                   マウントロックピン
３Ａ                 カメラボディ側電気的接続端子
３Ａ１から３Ａ７     カメラボディ側電気的接続端子群３Ａの各端子
５                   レンズ側マウント
５Ａ                 レンズ側衝合面
５Ｃ１、５Ｃ２、５Ｃ３      レンズ側マウント爪
６                   マウントロック溝
７Ａ                 レンズ側電気的接続端子
７Ａ１から７Ａ７     カメラボディ側電気的接続端子群７Ａの各端子
１０１               カメラボディ
１０２               カメラボディ側制御回路
１０３               カメラボディ側電源回路
１０４               カメラボディに着脱自在な電池
１０５               レンズ種別検出スイッチ
１０６               レンズ装着検出用プルアップ抵抗
１０７               レンズ種別判定用プルアップ抵抗
２０１               交換レンズ
２０２               レンズ側制御回路
２０３               レンズ側電源回路
２０４               レンズ駆動回路
【図１】
2018084713.tif 000003
【図２】
2018084713.tif 000004
【図３】
2018084713.tif 000005
【図４】
2018084713.tif 000006
【図５】
2018084713.tif 000007
【図６】
2018084713.tif 000008